(57)【要約】【課題】使用済になったロール紙の芯管の排出と、新たなロール紙の補給を、一体回転体を１回転させることにより極めて簡単に行えるとともに、ミシン目を利用して破断するロール紙カバーも備えるロール紙ホルダが望まれている。【解決手段】ロール紙ホルダ１は、一対の側板部５Ａ,５Ａと、予備ロール紙Ｒ１載置用の載置板部５Ａｂと、一体回転体３を回転自在に軸支するホルダ支柱軸受部２ａと、ロール紙用心棒Ｒ３を枢支する中空シャフト受皿部８と、ロール紙Ｒの芯管Ｒ２および心棒Ｒ３の排出のために形成された排出溝部Ｍ２と、ホルダ支柱軸受部２ａに立設された予備ロール紙用ガイドレール４と、予備ロール紙Ｒ１を案内するための入口溝部Ｍ１と、を備えている。また、丸味部７ａを持たせてミシン目利用で破断するロール紙カバー７を有している。【選択図】図３
2019024612.tif 000002
【特許請求の範囲】
【請求項１】
左右に離間配置された一対の側板部と、
前記左右の側板部の上部間に架け渡されていて予備のロール紙を載置する載置板部と、
壁などに固定されるとともに前記一対の側板部を水平軸心回りに回転自在に軸支するホルダ支柱軸受部と、
前記一対の側板部にそれぞれ設けられていて、水平配置のロール紙の芯管に挿通されたロール紙用心棒をロール紙使用位置で収受して回転自在に支持する中空シャフト受皿部と、
前記中空シャフト受皿部に支持されている前記ロール紙用芯棒の両端部を前記側板部の回転に伴って前記中空シャフト受皿部から排出させるように前記一対の側板部に形成された排出溝部と、
前記ホルダ支柱軸受部にそれぞれ立設されていて前記予備のロール紙のロール紙用芯棒の両端部をそれぞれ前記一対の側板部の外周縁へ案内するロール紙ガイドレールと、
前記一対の側板部の外周縁に案内された前記ロール紙用芯棒の両端部を前記側板部の回転に伴って当該外周縁から前記中空シャフト受皿部に向けて案内するように前記側板部に形成された入口溝部と、
を備えて成ることを特徴とするロール紙ホルダ。
【請求項２】
前記中空シャフト受皿部は上面が開口した半円筒状に形成されていて、前記載置板部が真上に位置するときに、ペーパー取り出し方向が右向きとなる側面から視て、前記中空シャフト受皿部の上面開口部が左上向きに配置されている請求項１に記載のロール紙ホルダ。
【請求項３】
前記ロール紙用ガイドレールの上部が、前記ホルダ支柱軸受部が取り付けられる取り付け壁側に向かって屈曲して形成されている請求項１または請求項２に記載のロール紙ホルダ。
【請求項４】
ロール紙を押える先端部が側面から視て丸身状に形成されていて末端部が前記一対の側板部に枢支された破断専用のロール紙カバーを有する請求項１から請求項３までのいずれか一項に記載のロール紙ホルダ。
【発明の詳細な説明】
【技術分野】
【０００１】
本発明は、ホルダ内で使用済になったロール紙の芯管の排出と、新たなロール紙のホルダ内への補給とを極めて簡単に行えるロール紙ホルダに関するものである。
【背景技術】
【０００２】
従来、一般家庭においては、ロール紙ホルダのロール紙を新たなロール紙に取り換える際に、まず予備のロール紙１個を用意し、次に使用済になったロール紙の芯管をロール紙ホルダから取り外し、取り外した芯管から心棒を抜き取り、抜き取った心棒を新たな予備ロール紙の芯管に装着し、芯管を装着したロール紙をロール紙ホルダにセットすることにより、ロール紙の取り換え作業を終えていた。また、使用するロール紙（トイレットペーパー）にはミシン目の加工をされたものと、ミシン目の加工を施されていないものの２種類があり、ミシン目が加工されているトイレットペーパーの使用時に際して、ミシン目から破断する方法と、ロール紙カバーの先端を刃先と見立てて切断する方法の２通りの使用法がある。ミシン目を利用して破断した時はミシン目からきれいに破断できているが、カバー先端を刃先として切断した時には往々にして斜めに切れて見苦しく残る場合がある。
【先行技術文献】
【特許文献】
【０００３】
【特許文献１】特開７−２７５１６１号公報
【特許文献２】特開５−８０３９５号公報
【発明の概要】
【発明が解決しようとする課題】
【０００４】
ところで、ロール紙（トイレットペーペー）を取り換える際に、まず予備ロール紙を用意し、次に使用済のロール紙の芯管をロール紙ホルダから取り外し、取り外した芯管から心棒を抜き取り、抜き取った心棒を予備ロール紙の芯管に装着し、心棒を装着したロール紙をロール紙ホルダにセットするようにしていた。しかしながら、この短時間で終わる取り換え作業ですら、急いでいるときには長く感じてしまうし、便座に着座した後にロール紙にペーパーが残っていないことに気づき、用意する予備のロール紙も手の届く位置にないとわかった時には、小パニックに陥る時すらある。
また、現在市販されているロール紙ホルダのロール紙カバーの使用法に関しては、破断と切断の二通りの使い分けができて便利である。その反面、切断する方法を利用した結果、切断が見事すぎると、ペーパーの切口がロール紙カバー内に隠れてしまい、次に利用する時に切口を探す手間がいる。反面、切断が下手だと斜めに裂けて見苦しく、後の利用者に不快な感じを与える。
【０００５】
一方で、ロール紙ホルダに関する技術としては、上記の特許文献１,２に記載されたロール紙ホルダが知られている。これらのロール紙ホルダはいずれも、本体ケース内の上部に予備のロール紙を収容する予備収容室を有し、予備ロール収容室内の下部に予備ロール紙を中空保持する保持部材を有し、保持部材の下方には、使用されるロール紙を保持する平行配置で一対の受ローラーを有している。そして、一対の受ローラー間の間隔は、全てのペーパーが消費されて残った芯管を通過させることのできる寸法に設定されている。受ローラー間の間隔は、無駄なく全てのペーパーを使い切らせるために、極力芯管の外径に近い寸法に設定されている。
【０００６】
ところで、一般的な芯管は歪んでいたり大きく変形していたりしていることが多々ある。このように芯管が歪んでいたり大きく変形したりしていると、特許文献１,２のように芯管の外径に近い寸法に設定されている受ローラー間の隙間を、芯管が通過できない場合が生じる。このようにして本体ケース内で芯管が詰まると、次の予備ロール紙を規定位置に補充できなくなるおそれがある。また、予備ロール収容室内の予備ロール紙が比較的尖った保持部材により中空保持されているものでは、予備ロール紙が保持部材に引っかかって一対の受ローラー上に落下できず、本体ケース内でロール詰まりを起こすというおそれもある。
【０００７】
本発明は、上記した課題をなくすためになされたもので、ホルダ内で使用済になったロール紙の芯管の排出と、新たなロール紙のホルダ内への補給とを、ハンドルの操作で一体回転体を１回転させることにより、極めて簡単に行えるロール紙ホルダの提供を第１の目的としている。また、ロール紙カバー先端を刃先として利用する際にミシン目から美しく破断できる破断専用のロール紙カバーを有するロール紙ホルダの提供を第２の目的としている。
【課題を解決するための手段】
【０００８】
上記の課題を解決するために、本発明に係るロール紙ホルダは、左右に離間配置された一対の側板部と、左右の側板部の上部間に架け渡されていて予備のロール紙を載置する載置板部と、壁などに固定されるとともに一対の側板部を水平軸心回りに回転自在に軸支するホルダ支柱軸受部と、一対の側板部にそれぞれ設けられていて、水平配置のロール紙の芯管に挿通されたロール紙用心棒をロール紙使用位置で収受して回転自在に支持する中空シャフト受皿部と、中空シャフト受皿部に支持されているロール紙用芯棒の両端部を側板部の回転に伴って中空シャフト受皿部から排出させるように一対の側板部に形成された排出溝部と、ホルダ支柱軸受部にそれぞれ立設されていて予備のロール紙のロール紙用芯棒の両端部をそれぞれ一対の側板部の外周縁へ案内するロール紙ガイドレールと、一対の側板部の外周縁に案内されたロール紙用芯棒の両端部を側板部の回転に伴って当該外周縁から中空シャフト受皿部に向けて案内するように側板部に形成された入口溝部と、を備えて成るものである。
【０００９】
また、前記構成において、中空シャフト受皿部は上面が開口した半円筒状に形成されていて、載置板部が真上に位置するときに、ペーパー取り出し方向が右向きとなる側面から視て、中空シャフト受皿部の上面開口部が左上向きに配置されているものである。
【００１０】
そして、前記した各構成において、ロール紙用ガイドレールの上部が、ホルダ支柱軸受部が取り付けられる取り付け壁側に向かって屈曲して形成されているものである。
【００１１】
更に、前記した各構成において、ロール紙を押える先端部が側面から視て丸身状に形成されていて末端部が一対の側板部に枢支された破断専用のロール紙カバーを有するものである。一般にはロール紙カバー先端を刃物に見立てた切断法とミシン目を利用した破断法とがあるが、この構成は、当ホルダのロール紙カバー先端に丸身部を持たせて切断法がとれないようにし、ミシン目のみを利用して破断するようにしたものである。
【発明の効果】
【００１２】
本発明に係るロール紙ホルダによれば、中空シャフト受皿部で使用していたロール紙のペーパーが無くなったときに、利用者が側板部を回転させると、使用済みのロール紙のロール紙用心棒を排出溝部の作用により中空シャフト受皿部から自動的に離脱させることができる。その後更に側板部を回転させると、予備ロール紙のロール紙用心棒を入口溝部の作用により中空シャフト受皿部に導いて収受させることができる。すなわち、ホルダ内の中空シャフト受皿部で使用済になったロール紙の芯管の排出と、新たなロール紙の中空シャフト受皿部への補給を、側板部を例えば１回転させることにより極めて簡単に行なえるのである。
【００１３】
また、中空シャフト受皿部は上面が開口した半円筒状に形成されていて、載置板部が真上に位置するときに、ペーパー取り出し方向が右向きとなる側面から視て、中空シャフト受皿部の上面開口部が左上向きに配置されているものでは、中空シャフト受皿部の少しの回転でロール紙用心棒を中空シャフト受皿部内から容易に離脱させることができるし、更に予備ロール紙を収受する際には入口溝部から中空シャフト受皿部への収受を滞りなく確実に行なうことができる。
【００１４】
そして、ロール紙用ガイドレールの上部が取り付け壁側に向かって屈曲して形成されているものでは、側面から視た意匠美観に優れ、ロール紙ホルダの前部上方に空間を確保できる。従って、比較的狭いトイレ空間内に余分なスペースを取らせることがなく、コンパクトで美しいロール紙ホルダを提供することができる。
【００１５】
また、紙カバー先端が丸身部として形成されたロール紙カバーを有するロール紙ホルダでは、ロール紙を最初に使用する人が必要長さ分を引き出し終わるころ、ロール紙カバーから現れたミシン目を更に２〜３センチほど余分に引き出したのち、引き出した方向に軽く引くと、ミシン目の線に沿って綺麗に破断できる。次に使用する人は、ロール紙カバーから２〜３センチはみ出しているロール紙をつかんで引き出せばよい。これは、ロール紙を最後に使い終える人まで、使用する人が都度に代わろうとも変わることなく同じ方法で利用できる。
【図面の簡単な説明】
【００１６】
【図１】本発明の一実施形態に係るロール紙ホルダおよびこのロール紙ホルダに取り付けられているロール紙を示す側面図である。
【図２】前記ロール紙ホルダおよびロール紙の正面図である。
【図３】図１におけるＡ−Ａ線矢視断面図である。
【図４】前記ロール紙ホルダの部品を示す図であって、（ａ）は一体回転体の平面図、（ｂ）は一体回転体の正面図である。
【図５】前記ロール紙ホルダの部品を示す図であって、（ａ）はホルダ支柱軸受部の側面図、（ｂ）はホルダ支柱軸受部の平面図、（ｃ）はロール紙用ガイドレールおよび取り付け部の部分側面図、（ｄ）は（ｃ）の部分背面図である。
【図６】前記ロール紙ホルダの部品を示す図であって、（ａ）はハンドル部の側面図、（ｂ）はハンドル部の背面図、（ｃ）はロール紙用心棒の正面図、（ｄ）はロール紙用心棒の側面図である。
【図７】前記ロール紙ホルダの部品を示す図であって、（ａ）は係合突起側の中空シャフト受皿部の部分斜視図、（ｂ）は抜け止め突部側の中空シャフト受皿部の部分平面図、（ｃ）は（ｂ）におけるＢ−Ｂ線矢視部分断面図、（ｄ）は（ｂ）におけるＢ−Ｂ線矢視端面図、（ｅ）は係合突起側の中空シャフト受皿部の部分平面図、（ｆ）は（ｅ）におけるＣ−Ｃ線矢視部分断面図、（ｇ）は（ｅ）におけるＣ−Ｃ線矢視端面図である。
【図８】前記ロール紙ホルダの一体回転体へのロール紙の装着状態を示す図であって、（ａ）は新たなロール紙が中空シャフト受皿部に装着されている状態を示す外観図、（ｂ）は一体回転体のロール紙がほぼ無くなった状態を示す部分側面図である。
【図９】（ａ）は一体回転体を１回転させるときの予備ロール紙の降下距離、中空シャフト受皿部の傾き方向および傾き角度、ならびにロール紙用心棒から側板部中心までの距離を一体回転体の回転角度１０度ごとに示した説明図、（ｂ）は一体回転体の回転角度０（３６０）度の時の中空シャフト受皿部近傍の部分断面図、（ｃ）は一体回転体の回転角度９０度の時の中空シャフト受皿部近傍の部分断面図、（ｄ）は一体回転体の回転角度１８０度の時の中空シャフト受皿部近傍の部分断面図、（ｅ）は一体回転体の回転角度２７０度の時の中空シャフト受皿部近傍の部分断面図である。
【図１０】ロール紙のペーパーがほぼ無くなった一体回転体を回転させることにより、使用済みのロール紙の芯管およびロール紙用心棒を排出するとともに予備ロール紙を所定使用位置の中空シャフト受皿部へ補充する態様を枝図（ａ）〜（ｊ）に順に示した側面状態説明図である。
【図１１】（ａ）は前記ロール紙ホルダにおいて一体回転体が回転角度２９０度に回転したときの各部の状態を示す側面説明図、（ｂ）は（ａ）に示した中空シャフト受皿部の部分断面図、（ｃ）は（ｂ）におけるＦ−Ｆ線矢視断面図、（ｄ）は（ｂ）におけるＧ−Ｇ線矢視断面図である。
【図１２】（ａ）は半径５０Ｒである左右の側板部の外周面の一部に形成された高さ１２ｍｍの突起面間に、半径６２Ｒの曲面である載置板部を形成した場合の詳細寸法図、（ｂ）は一体回転体の回転角度α＝１８０度時に載置板部が真下にきた状態を示すとともに、回転角度α＝１６０度から２７０度までの１０度刻み毎のロール紙用心棒における１０ｍｍφ両端部の進入状態の航跡と排出状態の航跡とを示す説明図である。
【図１３】一体回転体の回転と破断用ロール紙カバーの動きを示す側面模式図である。
【図１４】一体回転体の回転とロール紙用心棒の下降状態を順次示す側面模式図である。
【図１５】本発明の他の実施形態に係るロール紙ホルダおよびこのロール紙ホルダに取付けられているロール紙を示す図であって、（ａ）は側面図、（ｂ）は平面図である。
【図１６】本発明の別の実施形態に係るロール紙ホルダおよびこのロール紙ホルダに取付けられているロール紙を示す側面図である。
【発明を実施するための形態】
【００１７】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係るロール紙ホルダおよびこのロール紙ホルダに取り付けられているロール紙を示す側面図、図２は前記ロール紙ホルダおよびロール紙の正面図、図３は図１におけるＡ―Ａ線矢視断面図である。
各図において、この実施形態に係るロール紙ホルダ１は、板平面を縦向きにして左右に離間配置された一対の側板部５Ａ，５Ａを有する一対側板５と、例えばトイレの取付け壁Ｗに固定されるホルダ支柱体２と、ホルダ支柱体２に設けられていて一対側板５を水平の軸心Ｃ回りに回転自在に軸支する左右のホルダ支柱軸受部２ａ，２ａと、水平配置にされたロール紙Ｒの紙製のロール紙芯管Ｒ２に挿通されたロール紙用心棒Ｒ３をロール紙使用位置（左右両側のロール紙用心棒Ｒ３の軸心が図中の軸心Ｃと略一致する位置）で収受して回転自在に支持する中空シャフト受皿部８と、左右のホルダ支柱軸受部２ａ，２ａにそれぞれ立設されていて予備ロール紙Ｒ１に挿通されているロール紙用心棒Ｒ３の両端部をそれぞれ中空シャフト受皿部８へ向けて案内する左右２組のロール紙用ガイドレール４，４，４，４と、一体回転体３を手動回転させるためのハンドル１１と、から構成されている。そして、後で詳述する破断用ロール紙カバー７および枢支軸９と、ストッパーピン１０と、中空シャフト受皿部８とを、前記の一対側板５に組み合わせて一体物にしたもの（図４参照）が、一体回転体３である。
【００１８】
そして、一対側板５の２枚の側板部５Ａ、５Ａは、側板部５Ａ、５Ａ間に収めるロール紙Ｒおよび破断用ロール紙カバー７の横幅を考慮し左右１２０ｍｍの間隔をあけて向かい合せに配置されている。そして、図１中の符号Ｃ１は、図１〜図３に示した位置（ホームポジション）にある載置板部５Ａｂ上に予備ロール紙Ｒ１が載置された時に予備ロール紙Ｒ１のロール紙芯管Ｒ２に挿通したロール紙用心棒Ｒ３の両端部と一致する軸心位置を表している。そして、一対側板５の外周面まで降下した予備ロール紙Ｒ１用のロール紙用心棒Ｒ３を、各側板部５Ａの中心に穿つ１６ｍｍφの孔（中空シャフト受皿部８とつながる孔であり、以下の説明では中心孔１３と称する）に案内できるよう、各側板部５Ａの外周面より前記の中心孔１３へ向けて刻まれた溝である入口溝部Ｍ１(図１２(ｂ))と、ロール紙Ｒのロール紙芯管Ｒ２およびこのロール紙芯管Ｒ２に挿通したロール紙用心棒Ｒ３を同時に排出する排出溝部Ｍ２と、が一対側板５の側板部５Ａ，５Ａに形成されている。
【００１９】
ここで、側板部５Ａおよびそれから径方向外向きに延びる突起面の作製手順について説明する。まず、側板部５Ａ（図１２（ａ））を作製するための平板上に縦に直線（Ｈ−Ｈ線）を引き、線上の点Ｃを中心とする半径６２ｍｍの円を描き、描いた円の中心の軸心Ｃから、左右上方２方向に角度１５度の線を引き伸ばし、円周との交点に印ａ，ｂをつける。同じく軸心Ｃから半径５０ｍｍの円を描く、前記と同様に軸心Ｃから左右上方２方向に角度２０度の線を引き伸ばし、半径５０ｍｍの円周上との交点に印ｃ，ｄをつける。この交点につけた印を、例えば右回りに印ａ，ｂ，ｄ，ｃと円周回りに結び、この線を切り抜けば、半径５０ｍｍの円板の円周上に、高さ１２ｍｍ（軸心Ｃからの半径６２ｍｍ）の突起面を持つ側板部５Ａを作成することができる。前記の突起面を上にした２枚の側板部５Ａ，５Ａを左右に離間配置し、これら２枚の側板部５Ａ，５Ａの突起面間に曲率６２Ｒの曲面状の載置板部５Ａｂを一体的に架け渡すことにより、一対側板５が形成される。前記の載置板部５Ａｂは、その上面に予備ロール紙Ｒ１を裁置するようになっている。この場合、各側板部５Ａの突起面の高さ１２ｍｍの寸法は、載置板部５Ａｂ上に置かれた予備ロール紙Ｒ１の最下面と、側板部５Ａにおける使用位置に配置された取り出し用のロール紙Ｒの最上面との間隔を保って、ロール紙ＲからのペーパーＰを取り出し易くしている。
【００２０】
また、中空シャフト受皿部８は、例えば外径が２２ｍｍφ、内径が１６ｍｍφ、半円筒状部の長さが２０ｍｍ、底厚部幅が１０ｍｍの、半円筒状に形成されている。この中空シャフト受皿部８は、その半円部側の中心を一対の側板部５Ａ，５Ａの中心孔１３の軸心Ｃに合わせた位置決めで設けられている。また、底厚部幅１０ｍｍ、外径２２ｍｍφの部分がホルダ支柱軸受部２ａの軸受孔に軸支される。また、中空シャフト受皿部８の両側端面には、ハンドル１１取付け用の係合突起部１２，１２がそれぞれ突設されている。
【００２１】
図４および図８に示すように一対側板５の側板部５Ａ,５Ａの突起面の前部上端間に横架された枢支軸９に、破断用ロール紙カバー７が上下揺動自在に支持されている。また、枢支軸９下方の位置で側板部５Ａ,５Ａの突起面間には、ストッパーピン１０が横架されている。このストッパーピン１０は、使用中のロール紙Ｒを使い切ったのちに破断用ロール紙カバー７を当接させて、残るロール紙芯管Ｒ２に接触している位置以上に破断用ロール紙カバー７が回転することを抑止するようになっている。
【００２２】
上記した各ホルダ支柱体２は、図５（ａ），（ｂ）にも示すように、取付け壁Ｗにネジ止めされる基台部と、基台部のアーム先端にそれぞれ設けられていて軸心Ｃと共通の軸心を持つ軸受孔を有するホルダ支柱軸受部２ａと、から構成されている。また、各ホルダ支柱軸受部２ａの上面には、図５（ｃ），（ｄ）にも示すように、前後に離間した一対のロール紙用ガイドレール４，４が上向きに立設されている。一対のロール紙用ガイドレール４，４の間は、ロール紙用心棒Ｒ３を各ホルダ支柱軸受部２ａの軸受孔内へ案内するガイドレール内案内路４ａとなっている。各ロール紙用ガイドレール４はその側面および根本に併設されたリブにより補強されている。そして、各支柱軸受部２ａの上部にはガイドレール内案内路４ａと軸受孔とを連通する軸受案内入口２ａａが形成され、各支柱軸受部２ａの下部には軸受孔と下方外部とを連通する排出用の軸受案内出口２ａｂが形成されている。
【００２３】
上記したハンドル１１は、図６（ａ），（ｂ）にも示すように、その中心部に例えば断面四角形状のハンドル嵌合部１１ａを有する円環状に形成されている。このハンドル１１は、ハンドル嵌合部１１ａに中空シャフト受皿部８の係合突起部１２が差し込まれて回り止めされる。また、上記のロール紙用心棒Ｒ３は、図６（ｃ），（ｄ）にも示すように、ロール紙Ｒ，Ｒ１のロール紙芯管Ｒ２に挿着される挿着部分と、この挿着部分の両端面から軸心方向に突出して一体に形成された突出部分と、から構成されている。
【００２４】
そして、上記した各中空シャフト受皿部８は、図７にも示すように、側面から視て半円筒状に形成されていて上面開口部１４を有している。各中空シャフト受皿部８の上面開口部１４は、一対側板５の載置板部５Ａｂが真上に位置するときに、ペーパー取り出し方向が右向きとなる側面から視て（図７（ｃ）参照）、上面開口部１４が左上向きとなるように配置されている。各中空シャフト受皿部８の内曲面は、ガイドレール内案内路４ａおよび軸受案内入口２ａａを通って案内されたロール紙用心棒Ｒ３を収受する芯受部となっている。このように載置板部５Ａｂが真上位置にあるときに、各中空シャフト受皿部８の上面開口部１４は、２つの半円端面１５Ａ，１５Ｂを結ぶ線（１点鎖線ｇ）が、水平方向と平行な１点鎖線ｈに対して略４５度の傾き角度θに傾くように配置されている。すなわち、このときの上面開口部１４は、一体回転部３の回転方向（矢印Ｄ方向）における下流側（後側）の半円端面１５Ａが上流側（前側）の半円端面１５Ｂよりも低くなるように傾けられている。
【００２５】
上記したロール紙Ｒにおいて、一般家庭用として店頭に並ぶ商品には、ペーパー１枚巻きのシングルタイプと、ペーパー２枚重ね巻きのダブルタイプという２種類があり、横幅は両方とも約１１４ｍｍであり、１巻き分のペーパー長さがダブルタイプはシングルタイプの約２分の１であり、両巻きともに使用時に破断し易いようにミシン目が加工されている。ミシン目間の間隔は、シングルタイプで長手方向に２２８ｍｍ、ダブルタイプは１１４ｍｍであるから、シングルタイプは１１４ｍｍ×２２８ｍｍの長方形の破断紙が、ダブルタイプは１１４ｍｍ×１１４ｍｍの正方形の破断紙が、それぞれ連なって１巻きのロール紙を形成している。
【００２６】
このロール紙ホルダ１の破断用ロール紙カバー７は、カバー先端に丸身部７ａを持たせているから、刃先に見立てた切断方法をとることはできない。すなわち、破断用ロール紙カバー７の使用方法としては、ロール紙Ｒから必要長さのペーパーＰを引き出し終わるころ、破断用ロール紙カバー７から引き出されたミシン目に注目し、カバー先端の丸身部７ａから２〜３センチほどミシン目が出るようにペーパーＰを引き出したら、破断用ロール紙カバー７を押さえてペーパーＰを引出し方向に軽く引くと、ミシン目に沿ってきれいに破断することができる。使用後には、破断用ロール紙カバー７の先に２〜３センチのペーパーＰが常に残るから、利用者は、先に２〜３センチ残っているロール紙Ｐを容易に摘まんで利用することができる。この利用方法は、ロール紙Ｒの１巻き分を使い終えるまで、利用者が都度に変わろうとも、同じように利用できる。
【００２７】
ところで、ハンドル１１を１回転させた時、一体回転体３も同じ角度をもって１回転するのであるが、その回転に伴う各部の動き、例えば予備ロール紙Ｒ１の位置及び降下距離、一対の側板部５Ａ，５Ａの中心孔１３までの残り距離、中空シャフト受皿部８の上面開口部１４の傾き角度θの変化、破断用ロール紙カバー７の回転動作、入口溝部Ｍ１の姿勢などに関して、一体回転体３の１回転分（３６０度）を１０度刻みに３６態様を検討した。これらの内容を図９に示す。また、図９の３６態様のうちから１０態様を選んで図面化（図１０（ａ）〜同図（ｊ））し、これらの各図に沿ってそれぞれの態様を以下に説明する。
【００２８】
「図１０枝図番（ａ）：一体回転体３の回転角度α＝０度の説明」
使用中のロール紙Ｒを使い終えても、まだ予備ロール紙Ｒ１は載置板部５Ａｂ上に載置されて保管状態にある。また、ロール紙Ｒに挿通されていたロール紙用心棒Ｒ３の両端部も中空シャフト受皿部８に収受されたままである。そこで、ロール紙Ｒの芯管Ｒ２とロール紙用心棒Ｒ３を中空シャフト受皿部８から排出し、予備ロール紙Ｒ１のロール紙用心棒Ｒ３を中空シャフト受皿部８に移動させることにより、予備ロール紙Ｒ１を使用に供するロール紙Ｒとするのである。そこで、利用者が手動のハンドル１１を矢印Ｄ方向に１回転させる寸前の様子を、図１０（ａ）に示す。
【００２９】
［図１０枝図番（ｂ）：回転角度α＝３０度の説明］
図１０（ｂ）は、一体回転体３の回転角度が３０度時には載置板部５Ａｂも回転していて、載置板部５Ａｂの上面に載っていたロール紙Ｒ１の外周下面が載置板部５Ａｂの側面を転がり落ちて破断用ロール紙カバー７のカバー上面に移る様子を示している。
【００３０】
［図１０枝図番（ｃ）：回転角度α＝１３０度の説明］
回転角度が１３０度時における中空シャフト受皿部８の半円筒状の開口面の傾き角度は、左下向き８５度を示しほぼ真下を向いている。（図９に示した中空シャフト受皿部８の上面開口部１４の傾き方向と傾き角度θにより、ロール紙芯管Ｒ２に挿通されていたロール紙用心棒Ｒ３が、ロール紙芯管Ｒ２と共に排出溝部Ｍ２に案内されて下方に排出されて落下する。それに伴って、ロール紙芯管Ｒ２に支持されていた破断用ロール紙カバー７は支えを失い、図１０（ｃ）中で時計回りに回転しようとするが、ストッパーピン１０に当接して支持され、これまでの姿勢を保っている。
【００３１】
［図１０枝図番（ｄ）：回転角度α＝１６０度の説明］と［図１０枝図番（e）：回転角度α＝１７０度の説明］
回転角度１６０度時には、降下中の予備ロール紙Ｒ１に挿通されているロール紙用心棒Ｒ３（１０ｍｍφ）の外周面が一対側板５にほぼ接触している。更に、１０度進んで１７０度時には２ｍｍ食い込むことが分かる。前記の食い込み状態の解消には、１６０度回転時における一対側板５の外周面接触地点より、角度１８０度（枝図番（ｆ））時における一対側板５の外周面の深さ５ｍｍまで、なだらかなスロープの溝を作り、一対側板５への接触を回避させている。このスロープ溝は、後述するところの入口溝部Ｍ１へロール紙用心棒Ｒ３が容易に侵入できる、案内路となっている。
【００３２】
［図１０枝図番（ｉ）：回転角度α＝２９０度の説明］
回転角度α＝１８０度の説明をするにおいては、２９０度時の懸案を１８０度時でもクリアする必要があるので、説明が後先になるが、回転角度α＝２９０度時の状態を先に説明する。
図１１（ａ）は、回転角度αが２９０度まで進んだ時の載置板部５Ａｂの位置を示していて、降下中の予備ロール紙Ｒ１の外周面が載置板部５Ａｂの側面Ｑ２点（図１１（ａ）参照）に接している図である。ロール紙用心棒Ｒ３を通る垂直軸ｘ−ｘ線よりＱ点に引く水平線上の距離ｙ１〜ｙ２は２７０度を境に回転角が進むほど小さくなることを図は明示している。この懸案は、予備ロール紙Ｒ１に挿通されているロール紙用心棒Ｒ３を中心孔１３（１６ｍｍφ）および中空シャフト受皿部８に収受させるには、降下する予備ロール紙Ｒ１に挿通されているロール紙用心棒Ｒ３を、２７０度回転時には既に収受させて置かなければならないことを示している。因みに、比較として、図１１（ｂ）〜（ｄ）には回転角度αが０度（３６０度）のときの中空シャフト受皿部８近辺の状態を断面図で示してある。
【００３３】
［図１０枝図番（ｆ）：回転角度α＝１８０度の説明］
以前の状態に戻るが、回転角度αが１８０度に達した時点で、破断用ロール紙カバー７のカバー面は、矢印Ｅのように反転して下方に垂れ下がる。この影響で破断用ロール紙カバー７の上面を支えとしていた予備ロール紙Ｒ１は、下方への動きがフリーな状態となる。この、下方向への動きがフリー状態になったロール紙Ｒ１のロール紙用心棒Ｒ３を、回転角度αが２７０°度に達した時点で中心孔１３および中空シャフト受皿部８に収受させるための進入路である入口溝部Ｍ１の作製態様を、図１２（ｂ）に沿って説明する。ここでは、側板部５Ａの軸心Ｃを中心とする１８０度から２７０度までを１０度刻みに９分割し、９分割に沿って１０度刻みの線を１８０度から２７０度間まで１０本の線を引き伸ばす。次に、側板部５Ａの外周面から側板部５の軸心Ｃまでの降下距離５０ｍｍを９で除し、この値を予備ロール紙Ｒ１（＝ロール紙用心棒Ｒ３）の１０度毎における降下距離とし、各々の角度における値を割り当てて印を付し、付した印に１０ｍｍφの孔を穿ち、孔を繋ぎ合わせた軌跡線を入口溝部Ｍ１とする。また、図１２（ｂ）では側板部５Ａの中心の軸心Ｃに押ピンを打ち、引き伸ばしていた１０度刻みの線を垂直線と見なすために、押ピンを中心にして側板部５Ａを矢印Ｄ方向に回転させると、各角度を垂直線とする降下中のロール紙用心棒Ｒ３の位置と、中心孔１３および中空シャフト受皿部８に垂直に降下して収受される様を、目視にても確認することができる。
【００３４】
また、前記の入口溝部Ｍ１および排出溝部Ｍ２を側板部５Ａに刻んでいくと、入口溝部Ｍ１と排出溝部Ｍ２とに囲まれる部位が一対側板５から脱落する（図１２参照）。このことにより、ロール紙Ｒに挿通したロール紙用心棒Ｒ３における一対側板５内での前後左右への動きが一見してフリーとなるように思えるが、ロール紙降下用ガイドレール４，４内の案内路４ａを降下中のロール紙用心棒Ｒ３は、下方向以外の動きが案内路４ａの形状効果により制限されていて、中心孔１３および中空シャフト受皿部８のみに向かって降下するようになっている。
【００３５】
［図１０枝図番（ｈ）：回転角度α＝２７０度の説明］と［図１０枝図番（ｊ）：回転角度α＝３６０度の説明］
回転角度α＝２７０度でロール紙Ｒを中心孔１３および中空シャフト受皿部８に収受した時に、中空シャフト受皿部８の傾き角度θは右上向き４５度（図９参照）である。更に、中空シャフト受皿部８の回転が９０度進んだα＝３６０度時点において、中空シャフト受皿部８の上面開口部１４の傾き角度θは左上向き４５度を示して、一体回転体３の１回転（３６０度回転）が終わる。また、破断用ロール紙カバー７もロール紙ＲのペーパーＰの最外周面を完全に覆ってペーパー破断準備が整う。
【００３６】
上記してきたように、一体回転体３が回転角度α＝０°（３６０°）で静止している状態において、中空シャフト受皿部８の上面開口部１４の傾き角度θを左上向き４５度に配置して予備ロール紙Ｒ１を取り出し用のロール紙Ｒとするために、ハンドル１１を１回転させる時、まず一対側板５の回転角度αが１３０度まで進んだ時の中空シャフト受皿部８の上面開口部１４の傾き角度θは、左下向き８５度とほぼ真下を向く。このことにより、中空シャフト受皿部８に収受されていたロール紙Ｒのロール紙用心棒Ｒ３と芯管Ｒ２を共に排出できる。更に、一対側板５の回転角度αが１８０度まで進むと、ロール紙用ガイドレール４の案内路４ａ内を降下中の予備ロール紙Ｒ１は、芯管Ｒ２に挿通されているロール紙用心棒Ｒ３が一対側板５の外周面に接して入口溝部Ｍ１に到達する。そして、ロール紙用心棒Ｒ３が入口溝部Ｍ１に案内されながら回転角度αが２７０度まで進んだ時に、ロール紙用心棒Ｒ３は、一対側板５の中心に位置する中心孔１３および中空シャフト受皿部８内に収まる。
【００３７】
この時、中空シャフト受皿部８の上面開口部１４の傾き角度θが右上向き４５度でありながらも、ロール紙用心棒Ｒ３の外径１０ｍｍφと側板部５Ａの中心孔１３の内径１６ｍｍφとの差を６ｍｍにしたことで、ゆとりをもって中心孔１３および中空シャフト受皿部８にロール紙用心棒Ｒ３を収受させることができる。
更に回転が進み回転角度αが３６０度になって回転を静止させた時には、中空シャフト受皿部８の上面開口部１４の傾き角度θは左上向き４５度となり、ロール紙Ｒの取り出しが可能となる。一方で、ロール紙ＲのペーパーＰを引き出す時、ロール紙Ｒとロール紙用心棒Ｒ３も、取り出し方向に動こうとする力を受けるが、中空シャフト受皿部８の上面開口部１４の傾き方向が左向きであることから、ロール紙用心棒Ｒ３を中空シャフト受皿部８内に安定に保持できている。このような、ハンドル１１を１回転させる間の中空シャフト受皿部８の上面開口部１４の傾きによる幾つもの働きを「中空シャフト受皿部８の特徴的な傾斜配置」と表現することができる。
【００３８】
すなわち、排出された使用済のロール紙Ｒの芯管Ｒ２から抜き取られたロール紙用心棒Ｒ３は、新しい予備ロール紙Ｒ１とされるロール紙の芯管Ｒ２に装着されて再利用される。そして、装着されたロール紙用心棒Ｒ３の両先端部をロール紙用ガイドレール４の案内路４ａに差し入れ、そのロール紙を載置板部５Ａｂ上に置くだけで、新しい予備ロール紙Ｒ１となる。この予備ロール紙Ｒ１を使用すべきロール紙Ｒとするときは、利用者は便座に着座した姿勢であっても、ハンドル１１を１回転させるだけで、使用すべきロール紙（トイレットペーパー）の交換が行える。
【００３９】
因みに、一体回転体３が回転するときの、一体回転体３の側板部５Ａの回転角度α（＝０度（３６０度）、９０度、１８０度、２７０度）と、破断用ロール紙カバー７の揺動動作との関係は、図１３に示す通りである。
【００４０】
また、一体回転体３の載置板部５Ａｂ上に載置されていた予備ロール紙Ｒ１のロール紙用心棒Ｒ３が、一体回転体３の回転に伴って下降し、載置板部５Ａの入口溝部Ｍ１に案内されて、中心孔１３へ、更には上面開口部１４から中空シャフト受皿部８の中心へと収まる模式は、図１４に示す通りである。
この図１４では、一体回転体３が１回転する間の回転角度α＝０度から２７０度間を１０度毎に２７等分してそれぞれの角度毎のロール紙用心棒Ｒ３を２７個描いてある。表示された各ロール紙用心棒Ｒ３の位置は、軸心Ｃを中心として一体回転体３の実回転とは逆回り（時計回り）方向に移動しているように描いてある。ここでは、軸心Ｃ１と軸心Ｃとを結ぶ縦線を０度とし、この縦線から軸心Ｃを中心とする時計回り角度を一体回転体３の回転角度とし、表示された各ロール紙用心棒Ｒ３と軸心Ｃとの間の直線距離を予備ロール紙Ｒ１の下降距離としている。尚、各角度α，θに対応した各距離は、図９の表中に詳しく表記している。
この図１４からも、予備ロール紙Ｒ１のロール紙用心棒Ｒ３が滑らか且つ徐々に下降しつつ、終盤は入口溝部Ｍ１に案内されて中心孔１３および中空シャフト受皿部８内に確実に収まっていることが判る。
【００４１】
尚、上記してきた実施形態では、縦方向に直線状に延びたロール紙用ガイドレール４を用いた例を示したが、本発明はそれに限定されるものでない。例えば、図１５に示すようなロール紙ホルダ１ａも本発明に含まれる。このロール紙ホルダ１ａでは、左右一対のロール紙用ガイドレール４Ｂ，４Ｂ，４Ｂ，４Ｂの案内路４ａＢの上部が、ペーパー取り出し方向（前方向）の反対側（後方向）に向かう、すなわちホルダ支柱体２の取り付け壁Ｗ側に向かって屈曲して形成されている。また、このロール紙ホルダ１ａでは、予備ロール紙Ｒ１の側方周囲を覆う化粧板３３も配備されている。この化粧板３３は上下が開口した角筒状体に形成されており、その上面開口は予備ロール紙Ｒ１を装填するための装入口３４と成っている。但し、この装入口３４に、開閉式の蓋体（不図示）を取り付けて蓋止するようにしても構わない。
【００４２】
前記したロール紙ホルダ１ａによれば、ロール紙用ガイドレール４Ｂ，４Ｂ，４Ｂ，４Ｂが取付け壁Ｗ側（ホルダ後側）に屈曲して形成されているので、意匠上の観点から美観に優れているとともに、ロール紙ホルダ１ａの上部前方に空間を確保できる。従って、比較的狭いトイレ空間内に余分なスペースを取らせることがなく、コンパクトで美しいロール紙ホルダ１ａを提供することができる。また、ロール紙用ガイドレール４Ｂ，４Ｂ，４Ｂ，４Ｂおよび予備ロール紙Ｒ１の周囲を被う化粧板３３を備えているので、見た目を損なわず、飛来する埃や液が予備ロール紙Ｒ１などに付着することを防止できて衛生的である。
【００４３】
また、上記では、前後に対を成すロール紙用ガイドレールが互いに平行しているものを例示したが、本発明はそれに限定されるものでない。例えば、図１６に示すようなロール紙ホルダ１ｂも本発明に含まれる。このロール紙ホルダ１ｂが前述のロール紙ホルダ１ａ（図１５）と構造上異なるところは、後側のロール紙用ガイドレール４Ｂは共通で、前側のロール紙用ガイドレール４Ｂａの上端部４Ｂｂが前向き（ペーパー取り出し方向）に屈折して形成されていることである。
このロール紙ホルダ１ｂによれば、前記のロール紙用ガイドレール４Ｂａの上端部４Ｂｂが前向きに屈折しているので、ロール紙ホルダ１ｂの前側から水平方向後向きに予備ロール紙を補充することができる。これにより、ロール紙ホルダ１ｂの上方位置にロール紙補充用空間を必要としない。その結果、取付け壁Ｗに取り付けられる縦板部３５Ａと、この縦板部３５Ａの上辺から前方へ延在して形成された水平板部３５Ｂとから成るキャビネット３５を使用できる。従って、水平板部３５Ｂの上面を別のロール紙や備品の保管スペースとして利用できるし、ロール紙用ガイドレール４Ｂ，４Ｂａ間に収めた予備ロール紙への塵埃の堆積を抑止することもできる。
【００４４】
また、本発明のロール紙ホルダに用いるロール紙としては、図１６に示したような、使用時のロール紙Ｒａや予備ロール紙Ｒ１ａでも構わない。これらのロール紙Ｒａ，Ｒ１ａは、既述した一般のロール紙Ｒ，Ｒ１と比べて、ロール紙芯管Ｒ２ａがロール紙芯管Ｒ２よりもかなり大径に形成されている。そして、ロール紙芯管Ｒ２ａに挿着されるロール紙用心棒Ｒ３ａの挿着部分も大径に形成されている。ロール紙芯管Ｒ２ａに巻かれたペーパーＰは、使い切り直前になっても外径が大きいまま新品に近いので見た目にみすぼらしくないから、高級ホテルやデパート向きである。因みに、高級ホテルやデパートなどでは、顧客に使用されてペーパーＰがいくぶん減った場合、中途使用感を回避するために、そのロール紙Ｒは新しい予備ロール紙Ｒ１と取り替えられている。取り替えられた使用途中のロール紙Ｒは、従業員に持ち帰らせたり、社員用として使用させたり、あるいは廃棄されたりするのが実情であり、勿体ない使い方をしている。
それに対し、このロール紙Ｒａ，Ｒ１ａは、顧客使用可能量がもともと少ないうえ、使用によってもペーパーＰの外径があまり小さくならないから、常に見栄えのよい状態に保たれる。これにより、多量のペーパー残量があるのに取り替えられるといった不具合がなく、ペーパーＰの無駄を最大限に小さくすることができる。
【００４５】
更に、上記ではロール紙芯管Ｒ２を有するロール紙Ｒ，Ｒ１を例示し、そのロール紙芯管Ｒ２にロール紙用心棒Ｒ３を挿通して用いた例を示したが、本発明はそれに限られない。例えば、ロール紙芯管Ｒ２を持たないロール紙の紙巻中央部の中空孔をロール紙芯管Ｒ２の代替とし、この中空の芯管にロール紙用心棒Ｒ３を挿通して用いるものも、本発明に含まれる。
【００４６】
また、上記では、ロール紙として、トイレットペーパーロールを例に挙げたが、本発明のロール紙はそれに限定されない。例えば、医療用ロール紙、調理用ロール紙、工業用ロール紙、或いは合成樹脂製フィルムやシートを巻いて成るロールフィルムやロールシートなどを収容するホルダとしても適用できることは言うまでもない。
【００４７】
そして、上記では、ロール紙ホルダ１，１ａ，１ｂの取付位置を、トイレ利用者が便座に着座した姿勢で向かって左側の壁に取り付けた例を説明しているが、向かって右側の壁にこれらのホルダを取り付けた場合も、左側取付けと同様に利用できる。尚、その時は、それまで一端部側の係合突起部１２に取り付けられていたハンドル１１を他端部側の係合突起部１２に付け替える必要があり、その時のハンドル１１の手回し方向は左回転から右回転に代えられる。
【００４８】
尚、本発明は、上記した実施の形態に限定されるものではなく、本発明の分野における通常の知識を有するものであれば想到し得る、各種変形や修正を含むもの、本発明の要旨を逸脱しない範囲の設計変更などが施されたものも、本発明に含まれる。
【符号の説明】
【００４９】
１    ロール紙ホルダ
１ａ  ロール紙ホルダ
１ｂ  ロール紙ホルダ
２    ホルダ支柱体
２ａ  ホルダ支柱軸受部
３    一体回転体
４    ロール紙用ガイドレール
４Ｂ  ロール紙用ガイドレール
４Ｂａ  ロール紙用ガイドレール
４ａ  ガイドレール内案内路
４ａＢ  ガイドレール内案内路
５    一対側板
５Ａ  側板部
５Ａｂ  載置板部
７    破断用ロール紙カバー
７ａ  丸身部
８    中空シャフト受皿部
９    枢支軸
１０  ストッパーピン
１１  ハンドル
１２  係合突起部
１３  中心孔
１４  上面開口部
Ｍ１  入口溝部
Ｍ２  排出溝部
Ｐ    ペーパー
Ｒ    ロール紙
Ｒａ  ロール紙
Ｒ１  予備ロール紙
Ｒ１ａ  予備ロール紙
Ｒ２  ロール紙芯管
Ｒ２ａ  ロール紙芯管
Ｒ３  ロール紙用心棒
Ｒ３ａ  ロール紙用心棒
Ｗ    取付け壁
α    回転角度
θ    傾き角度
【図１】
2019024612.tif 000003
【図２】
2019024612.tif 000004
【図３】
2019024612.tif 000005
【図４】
2019024612.tif 000006
【図５】
2019024612.tif 000007
【図６】
2019024612.tif 000008
【図７】
2019024612.tif 000009
【図８】
2019024612.tif 000010
【図９】
2019024612.tif 000011
【図１０】
2019024612.tif 000012
【図１１】
2019024612.tif 000013
【図１２】
2019024612.tif 000014
【図１３】
2019024612.tif 000015
【図１４】
2019024612.tif 000016
【図１５】
2019024612.tif 000017
【図１６】
2019024612.tif 000018
【手続補正書】
【提出日】平成30年11月6日(2018.11.6)
【手続補正１】
【補正対象書類名】特許請求の範囲
【補正対象項目名】請求項１
【補正方法】変更
【補正の内容】
【請求項１】
壁に固定される左右一対のホルダ支柱体と、
前記一対のホルダ支柱体にそれぞれ設けられた左右のホルダ支柱軸受部と、
前記左右のホルダ支柱軸受部間に左右に離間配置されていて前記左右のホルダ支柱軸受部に水平軸心回りに回転自在に軸支された一対の側板部、および前記一対の側板部の上部間に架け渡されていて予備のロール紙を載置する載置板部から成る一対側板と、
前記一対側板の一対の側板部にそれぞれ設けられていて、水平配置のロール紙の芯管に挿通されたロール紙用心棒をロール紙使用位置で収受して回転自在に支持する中空シャフト受皿部と、
前記中空シャフト受皿部に支持されている前記ロール紙用芯棒の両端部を前記一対側板の回転に伴って前記中空シャフト受皿部から排出させるように前記一対の側板部に形成された排出溝部と、
前記ホルダ支柱軸受部にそれぞれ立設されていて前記予備のロール紙のロール紙用芯棒の両端部をそれぞれ前記一対の側板部の外周縁へ案内するロール紙ガイドレールと、
前記一対の側板部の外周縁に案内された前記ロール紙用芯棒の両端部を前記側板部の回転に伴って当該外周縁から前記中空シャフト受皿部に向けて案内するように前記側板部に形成された入口溝部と、
を備えて成ることを特徴とするロール紙ホルダ。
【手続補正２】
【補正対象書類名】明細書
【補正対象項目名】０００８
【補正方法】変更
【補正の内容】
【０００８】
上記の課題を解決するために、本発明に係るロール紙ホルダは、壁に固定される左右一対のホルダ支柱体と、一対のホルダ支柱体にそれぞれ設けられた左右のホルダ支柱軸受部と、左右のホルダ支柱軸受部間に左右に離間配置されていて左右のホルダ支柱軸受部に水平軸心回りに回転自在に軸支された一対の側板部、および一対の側板部の上部間に架け渡されていて予備のロール紙を載置する載置板部から成る一対側板と、一対側板の一対の側板部にそれぞれ設けられていて、水平配置のロール紙の芯管に挿通されたロール紙用心棒をロール紙使用位置で収受して回転自在に支持する中空シャフト受皿部と中空シャフト受皿部に支持されているロール紙用芯棒の両端部を一対側板の回転に伴って中空シャフト受皿部から排出させるように一対の側板部に形成された排出溝部と、ホルダ支柱軸受部にそれぞれ立設されていて予備のロール紙のロール紙用芯棒の両端部をそれぞれ一対の側板部の外周縁へ案内するロール紙ガイドレールと、一対の側板部の外周縁に案内されたロール紙用芯棒の両端部を側板部の回転に伴って当該外周縁から中空シャフト受皿部に向けて案内するように側板部に形成された入口溝部と、を備えて成るものである。